(57)【特許請求の範囲】
【請求項１】
外側レールと、該外側レールの両内縁間での摺動により抜き差し可能に組み合わせる内側レールとからなり、上記内側レールに上記外側レールの両内縁間に嵌まるように取り付けた大径コロと、上記外側レールに上記内側レールの両縁を外側から挟むように取り付けた一対の小径コロとを有し、上記大径コロは、上記外側レールの両内縁間に上記内側レールを挿入していく方向で上記内側レールの先端側に設け、上記小径コロは、上記外側レールの両内縁間から上記内側レールを抜去していく方向で上記外側レールの先端側に設けてなることを特徴とするスライドレール。
【請求項２】
外側レールと、該外側レールの両内縁間での摺動により抜き差し可能に組み合わせる内側レールとからなり、上記内側レールに上記外側レールの両内縁間に嵌まるように取り付けた大径コロと、上記外側レールに上記内側レールの両内縁間に嵌まるように取り付けた小径コロとを有し、上記大径コロは、上記外側レールの両内縁間に上記内側レールを挿入していく方向で上記内側レールの先端側に設け、上記小径コロは、上記外側レールの両内縁間から上記内側レールを抜去していく方向で上記外側レールの先端側に設けてなることを特徴とするスライドレール。
【請求項３】
上記小径コロを設けた部位よりさらに上記内側レールを抜去していく方向で上記外側レールの先端側に、上記内側レールを組み合わせる側に立ち上がって上記内側レールを抜け止めする突き当てストッパを設けてなることを特徴とする請求項１または２のスライドレール。
【請求項４】
上記内側レールを挿入してゆく方向で上記外側レールの先端側に開口部を設け、該開口部に、上記内側レールの先端を挟み込んで上記内側レールの上記外側レールへの挿入最奥位置を決める嵌着ストッパを取り付けてなることを特徴とする請求項１ないし３のいずれかのスライドレール。
【請求項５】
上記内側レールの上記外側レールへの挿入方向で先端側を先細とし、かつ該先細部分の両外縁を波打ち形状とし、上記嵌着ストッパを上記内側レールの先端側部位とスナップフィット可能としてなることを特徴とする請求項４のスライドレール。
【発明の詳細な説明】
【０００１】
【発明の属する技術分野】
本発明は、複写機、プリンタ、ファクシミリ装置等で機器本体に抜き差し可能に取り付ける引き出しやカセット等、さらにはキャビネット等の抽斗に使用するスライドレールに関する。
【０００２】
【従来の技術】
従来のこの種のスライドレールは、外側レールと内側レール間に転動体付きのリテーナを組み込んで構成している。この種のスライドレールとしては、例えば特開平７−８３２２９号公報、特開平９−１９６０６１号公報、特開平９−３６５５７号公報、特開平９−２５２８６２号公報、特開平９−２５２８６３号公報、特公平７−１３４２３号公報、実公平６−２４５４２号公報、実開平７−１０５５１号公報、実用新案登録２５４１４８０号公報、実用新案登録２５５２１２４号公報等々多数の開示がある。
【０００３】
このような従来のスライドレールに用いられるリテーナは、多数のボールを組み込んで備え、内側レールが多数のボールによってスムーズに外側レールの両縁の間をスライドできるようにしている。このようなリテーナは、鋼材を断面弓形状に成形するとともにその両縁にボールを収めるためのポケットを多数形成するものである。
【０００４】
【発明が解決しようとする課題】
そのため従来のスライドレールは、ガタがほとんどない精度の高いものとなっているが、部品点数及び製造工程が多くてコスト高になり、また組み立て作業も大変に面倒であるという大きな欠点があった。
【０００５】
そこで本発明は、簡単な構造で生産性に優れ、安価に製作でき、取り付けも容易なスライドレールを提供することを目的とする。
【０００６】
【課題を解決するための手段】
本発明の請求項１に係るスライドレールは、上記目的を達成するために、外側レールと、該外側レールの両内縁間での摺動により抜き差し可能に組み合わせる内側レールとからなり、上記内側レールに上記外側レールの両内縁間に嵌まるように取り付けた大径コロと、上記外側レールに上記内側レールの両縁を外側から挟むように取り付けた一対の小径コロとを有し、上記大径コロは、上記外側レールの両内縁間に上記内側レールを挿入していく方向で上記内側レールの先端側に設け、上記小径コロは、上記外側レールの両内縁間から上記内側レールを抜去していく方向で上記外側レールの先端側に設けてなることを特徴とする。
【０００７】
同請求項２に係るものは、上記目的を達成するために、外側レールと、該外側レールの両内縁間での摺動により抜き差し可能に組み合わせる内側レールとからなり、上記内側レールに上記外側レールの両内縁間に嵌まるように取り付けた大径コロと、上記外側レールに上記内側レールの両内縁間に嵌まるように取り付けた小径コロとを有し、上記大径コロは、上記外側レールの両内縁間に上記内側レールを挿入していく方向で上記内側レールの先端側に設け、上記小径コロは、上記外側レールの両内縁間から上記内側レールを抜去していく方向で上記外側レールの先端側に設けてなることを特徴とする。
【０００８】
同請求項３に係るものは、上記目的を達成するために、上記小径コロを設けた部位よりさらに上記内側レールを抜去していく方向で上記外側レールの先端側に、上記内側レールを組み合わせる側に立ち上がって上記内側レールを抜け止めする突き当てストッパを設けてなることを特徴とする。
【０００９】
同請求項４に係るものは、上記目的を達成するために、上記内側レールを挿入してゆく方向で上記外側レールの先端側に開口部を設け、該開口部に、上記内側レールの先端を挟み込んで上記内側レールの上記外側レールへの挿入最奥位置を決める嵌着ストッパを取り付けてなることを特徴とする。
【００１０】
同請求項５に係るものは、上記目的を達成するために、上記内側レールの上記外側レールへの挿入方向で先端側を先細とし、かつ該先細部分の両外縁を波打ち形状とし、上記嵌着ストッパを上記内側レールの先端側部位とスナップフィット可能としてなることを特徴とする。
【００１１】
【発明の実施の形態】
以下本発明の実施の形態を図面を参照して説明する。
図１は本発明に係るスライドレールの第１の実施形態を示す分解斜視図、図２は組み立て状態の正面図（Ａ）、同左側面断面図（Ｂ）、同右側面断面図（Ｃ）である。図中１は外側レール、２は内側レールで、外側レール１はこのスライドレールを取り付ける複写機等の筐体内に固定し、内側レール２は外側レール１に沿って摺動させて抜き差し可能に取り付ける。
【００１２】
外側レール１は、帯状の金属等の板材の両端縁部３、３を同一方向に向けて円弧状やＶ字状、Ｃ字状等に外側へ張り出すように湾曲させ、長手方向に沿って対向する二つの溝状部分を形成してある。また一側の端部には、略半円上の張り出し部分４、４を形成し、そこにそれぞれピン孔５、５を明けてある。この張り出し部分４、４を形成した端部には、幅が若干細い部分を端縁部３と同じ方向に折り曲げて内側レール２の抜け止めストッパ６を設けてある。
【００１３】
さらに外側レール１には、途中部位を複数個所（図では２個所）を打ち抜き、打ち抜いた部位をそのままか端縁部３とは反対方向に折り曲げて複写機等の筐体への固定片７、７としてある。またさらに、他側の端部には矩形の孔８を明けてあり、後述する嵌着ストッパ９を着脱できるようにしてある。
【００１４】
内側レール２も、帯状の金属等の板材の両端縁部１０、１０を同一方向に向けて円弧状やＶ字状、Ｃ字状等に外側へ張り出すように湾曲させ、長手方向に沿って対向する二つの溝状部分を形成してある。また一側の端部は、端縁部１０を除去し、若干先細となるように形成してある。この先細部１１は、両縁を波打ち形状に凹凸させて形成してあり、その基端近傍にはピン孔１２が設けてある。さらに、端縁部１０を有する部分の途中部位の中央部分を打ち抜いて端縁１０と同じ方向に折り曲げて外側レール１の抜け止めストッパ６と当接可能なストッパ片１３としてある。
【００１５】
そして、外側レール１の張り出し部分４、４のピン孔５、５に、ピン軸１４、１４により皷状のコロ１５、１５を取り付ける。コロ１５は、図２（Ｃ）からわかるように中央側をＶ字状等にくぼませたもので、この窪みに内側レール２の端縁部１０の端縁を受け入れ得るようになっている。また、内側レール２の先細部１１のピン孔１２には、ピン軸１６により中高状のコロ１７を取り付ける。コロ１７は、図２（Ｂ）からわかるように、中央部が最も突出するようにＶ字状に形成したもので、外側レール１の端縁部３の内側に嵌り込むことができるようにしてある。
【００１６】
さらに外側レール１の矩形の孔８には嵌着ストッパ９を取り付ける。この嵌着ストッパ９は、内側レール２の先細部１１をスナップフィットにより嵌着するための一対のフィット脚部１８、１８を有するとともに、孔８へこれもスナップフィットにより嵌着するための脚部１９、１９を有する。フィット脚部１８、１８の外側の形状は、それぞれ内側レール２の先細部１１の縁の波打ち形状と対応する形状としてある。
【００１７】
以上説明してきた構成の外側レール１と内側レール２を組み合わせるには、ピン軸１４によりコロ１５を取り付けた外側レール１の固定片７をビス等で機器の筺体等に取り付けておき、ピン軸１６によりコロ１７を取り付けた内側レール２を、抜け止めストッパ６にストッパ片１３が当たるまで外側レール１の孔８を設けた側から図中矢印Ｘで示すように外側レール１の内側へ挿入していき、その後、脚部１９が孔８の縁に引っ掛かるように孔８に嵌着ストッパ９を嵌着するだけでよい。それによって図２に示す組み合わせ状態が得られる。外側レール１から内側レール２を取り外す場合には上記とは逆工程となる。なお嵌着ストッパ９のフィット脚部１８、１８の長さを変える等すれば、内側レール２の先細部１１の嵌着位置を変えることができる。
【００１８】
組み合わせた状態では、内側レール２の一端側はコロ１７によって外側レール１の両端縁３、３の間に、また他端側もコロ１５、１５によって挟み込まれて、それぞれガタつきなくしっかりと保持され、かつコロ１５の回転及びコロ１７の転動によって内側レール２はスムーズにスライド可能となる。
【００１９】
また内側レール２を外側レール１の最奥部まで差し込んでいくと、図３に示すように、内側レール２の先細部１１が嵌着ストッパ９のフィット脚部１８、１８の間に入り込んでいき、両者の波打ち形状が相まってスナップ止め状の嵌着状態となり、強く内側レール２を引かないかぎり外れなくなって内側レール２が位置決めされる。すなわち内側レール２を取り付ける引き出しやカセット等の機器の位置決めもなされる。
【００２０】
一方、内側レール２を外側レール１から引き抜いていくと、内側レール２のストッパ片１３が外側レール１の抜け止めストッパ６に当接し、それ以上引き出せなくなる。
【００２１】
なお図では内側レール２を引き出し等へ取り付ける構造等は省略してあるが、適宜公知の方法で取り付ければよい。また内側レール２を機器の筺体に固定し、外側レール１を引き出し等へ取り付けるようにしてもよい。
【００２２】
図４は本発明に係るスライドレールの第２の実施形態を示す図２（Ｃ）相当の右側面断面図（Ｃ）である。
この実施形態は、先の実施形態の２個のコロ１５、１５に代えて、コロ１７と同様に中高状のコロ１５ａを１個だけ外側レール１の抜け止めストッパ６の内側中央部位に設けてなるものである。コロ１５ａは、コロ１７と同様に、中央部が最も突出するようにＶ字状に形成したもので、内側レール１の端縁部１０の内側に嵌り込むことができるようにしてある。その他の構成、動作、組み合わせ操作等については先の実施形態と同様であるので、重複する説明を省略する。
【００２３】
図５は本発明に係るスライドレールの第３の実施形態を示す図２（Ｂ）相当の左側面断面図（Ａ）と図２（Ｃ）相当の右側面断面図（Ｂ）である。
この実施形態は、第１の実施形態とコロの数は同じであるが、外側レール１の両端縁部３ａ、３ａの折り曲げ方向を互いに対向するＬ字形状とし、内側レール２の両端縁部１０ａ、１０ａの折り曲げ方向を互いに反対側へ向くＬ字形状としたものである。このため、外側レール１の両端縁部３ａ、３ａ間に嵌着するコロ１７ａを中央部外周に端縁部３ａの縁が嵌り込める溝２０を設けたものとし、内側レール２の両端縁部１０ａ、１０ａを挟むように位置するコロ１５ｂ、１５ｂも中央部外周に端縁部１０ａの縁が嵌り込める溝２１を設けたものとして構成してある。その他の構成、動作、組み合わせ操作等については先の実施形態と同様であるので、重複する説明を省略する。
【００２４】
【発明の効果】
本発明のスライドレールは、以上説明してきたようなものなので、従来この種のスライドレールで必要であったリテーナを必要とせず、簡単な構造となり、したがって生産性に優れるとともに安価なものとなり、取り付けも容易に行えるものとなるという効果がある。
【図面の簡単な説明】
【図１】本発明に係るスライドレールの第１の実施形態を示す分解斜視図である。
【図２】図１の実施形態の組み立て状態の正面図（Ａ）、同左側面断面図（Ｂ）、同右側面断面図（Ｃ）である。
【図３】図１の実施形態の嵌着ストッパによる内側レールの嵌着状態を示す斜視図である。
【図４】本発明に係るスライドレールの第２の実施形態を示す右側面断面図（Ｃ）である。
【図５】本発明に係るスライドレールの第３の実施形態を示す左側面断面図（Ａ）と右側面断面図（Ｂ）である。
【符号の説明】
１  外側レール
２  内側レール
３、３ａ  外側レールの端縁部
４  同張り出し部分
５  ピン孔
６  抜け止めストッパ
７  固定片
８  孔
９  嵌着ストッパ
１０、１０ａ  内側レールの端縁部
１１  先細部
１２  ピン孔
１３  ストッパ片
１４  ピン軸
１５、１５ａ、１５ｂ  コロ
１６  ピン軸
１７、１７ａ  コロ
１８  嵌着ストッパのフィット脚部
１９  同脚部
２０、２１  溝
【図１】
0003901415.tif 000002
【図２】
0003901415.tif 000003
【図３】
0003901415.tif 000004
【図４】
0003901415.tif 000005
【図５】
0003901415.tif 000006